(57)【要約】【課題】  施工時に騒音等が発生すること無く、使用状態での排水流下音の伝播を抑制出来、しかも、施工作業性が良好な配管固定具、該配管固定具を用いた配管敷設構造及び配管敷設方法を提供する。【解決手段】  固定具本体２４ａは、発泡スチロール等の発泡樹脂材料で構成されていて、直径を床下空間４の高さ距離よりもやや大きめに形成された円環状を呈している。  そして、外周面２４ｂのうち、この外周面２４ｂに沿って湾曲した上面部２４ｃを床板材２の下面側２ａと当接させると共に、外周面２４ｂに沿って湾曲した下面部２４ｄをコンクリートスラブ３の上面側３ａに各々当接させることにより、円環の径方向に弾性変形して圧縮可能となるように構成されている。【選択図】図１
2005113583.tif 000002
【特許請求の範囲】
【請求項１】
上床部と下床部との間に形成される床下空間に、屈曲可能な配管を敷設する配管固定具
であって、
前記上床部と下床部との間に介在されて上下方向から圧接される固定具本体に、前記配
管を該上床部及び下床部から浮かせた状態で保持する保持部を設けたことを特徴とする配
管固定具。
【請求項２】
前記固定具本体が、円環状を呈して外周面を前記上床部の下面側及び下床部の上面側に
各々当接させることにより、円環の径方向に弾性変形して圧縮可能とすると共に、前記保
持部が、該固定具本体の円環の中心軸近傍に、軸方向に沿って前記配管を挿通して保持す
る挿通孔によって構成されると共に、該外周面から前記挿通孔まで径方向に沿って設けら
れて、拡開により前記配管を径方向に該挿通孔まで導入可能とする切目部を有することを
特徴とする請求項１記載の配管固定具。
【請求項３】
前記固定具本体が、正面視略Ｈ字型形状を呈して、上，下側各一対の脚部間に前記保持
部を形成すると共に、前記脚部の上，下端面を、前記上床部の下面側及び下床部の上面側
に各々当接させることにより、上，下方向に弾性変形して圧縮可能とするＨ字型ブロック
によって構成されることを特徴とする請求項１記載の配管固定具。
【請求項４】
前記固定具本体は、前記上床部の下面側または、前記下床部の上面側に当接する部分を
切削可能とすることを特徴とする請求項１乃至３のうち、何れか一項記載の配管固定具。
【請求項５】
上床部と下床部との間に形成される床下空間に、前記固定具本体を介在させると共に、
前記保持部に前記配管を該上床部及び下床部から浮かせた状態で保持させて、上下方向か
ら前記上床部及び下床部によって、該固定具本体を圧接させることにより、屈曲可能な前
記配管を敷設することを特徴とする請求項１乃至４のうち何れか一項記載の配管固定具を
用いた配管敷設構造。
【請求項６】
前記保持部に前記配管を前記下床部から浮かせた状態で保持しつつ、前記下床部の上面
に、前記固定具本体を配置し、該固定具本体の上方から覆うように、前記上床部を配設し
て床下空間を形成する際、上下方向から前記上床部の下面側と前記下床部の上面側とによ
って挟持して、該固定具本体を圧接して固定することを特徴とする請求項１乃至４のうち
、何れか一項記載の配管固定具を用いた配管敷設方法。 
【発明の詳細な説明】
【技術分野】
【０００１】
この発明は、二重床等、上床部と下方部との間に床下空間を有する建物に適用され、鞘
管等、柔軟性を有する配管を固定する配管固定具、該配管固定具を用いた配管敷設構造及
び配管敷設方法に関するものである。
【背景技術】
【０００２】
従来、図９に示すような配管固定具を用いた配管敷設構造が知られている（例えば、特
許文献１参照）。
【０００３】
まず、構成から説明すると、このようなものでは、建物１内のキッチン１０の上床部を
構成する床板材２と下床部を構成するコンクリートスラブ３との間に形成される床下空間
４は、屈曲可能な鞘管５が敷設されている。
【０００４】
この鞘管５は、流し台６のシンク７下方に設けられたポンプ８から圧送される排水を、
建物１外側に設けられた縦排水管９に送出するように接続されている。
【０００５】
そして、この鞘管５は、間隔が開けられて設けられる複数の鞘管固定サドル部材１１，
１１によって、固定錨１２，１２で固定されることにより、蛇行した形状に屈曲された状
態で、前記コンクリートスラブ３の上面に固着されるように構成されている。
【０００６】
次に、この従来の配管固定具を用いた配管敷設構造の作用について説明する。
【０００７】
このように構成された前記鞘管５は、前記複数の鞘管固定サドル部材１１，１１によっ
て、固定錨１２，１２で固定されることにより、蛇行した形状に屈曲された状態で、前記
コンクリートスラブ３の上面に固着されている。
【０００８】
このため、この鞘管５は、前記ポンプ８から圧送される排水によっても、移動すること
なく、一定の蛇行形状が保持される。
【０００９】
また、図１０に示すような配管固定具を用いた配管敷設構造も知られている。
【００１０】
このようなものでは、床下空間４内に配管１３を傾けて敷設するため、ネジ機構１４ａ
等によって、前記配管１３を保持する高さを変更可能な配管固定具１４，１４が、複数個
、所定の間隔を置いて設けられていて、脚部１４ｂを前記固定錨１２等で固定することに
より、前記配管１３が、前記コンクリートスラブ３の上面に固着されるように構成されて
いる。
【特許文献１】特開平３−１２２３２４号公報
【発明の開示】
【発明が解決しようとする課題】
【００１１】
しかしながら、図９に示すような従来の配管固定具を用いた配管敷設構造では、前記鞘
管固定サドル部材１１を用いて、前記鞘管５を前記コンクリートスラブ３の上面に固着さ
せる際、固定錨１２，１２を打設しなければならず、騒音が下階等へ響いてしまうといっ
た問題があった。
【００１２】
また、前記鞘管固定サドル部材１１及び前記固定錨１２，１２等、部品点数が増大して
しまうので、部品管理が煩雑である。
【００１３】
そして、固定後も、前記鞘管５が、直接、前記コンクリートスラブ３の上面に固着され
ているので、排水の流下音が、コンクリートスラブ３を伝わって、建物１の他の室に聞こ
えてしまうといった問題もあった。
【００１４】
更に、図１０に示すものでは、前記脚部１４ｂが前記固定錨１２等で固定される際に、
騒音が発生すると共に、スペースの限られた床下空間内で、前記ネジ機構１４ａを用いて
、前記配管１３を保持する高さを変更しなければならず、作業性が良好であるとは言い難
がたかった。
【００１５】
そこで、この発明は、施工時に騒音等が発生すること無く、使用状態での排水流下音の
伝播を抑制出来、しかも、施工作業性が良好な配管固定具、該配管固定具を用いた配管敷
設構造及び配管敷設方法を提供することを目的としている。
【課題を解決するための手段】
【００１６】
上記目的を達成するために、請求項１に記載された発明では、上床部と下床部との間に
形成される床下空間に、屈曲可能な配管を敷設する配管固定具であって、前記上床部と下
床部との間に介在されて上下方向から圧接される固定具本体に、前記配管を該上床部及び
下床部から浮かせた状態で保持する保持部を設けた配管固定具を特徴としている。
【００１７】
また、請求項２に記載されたものは、前記固定具本体が、円環状を呈して外周面を前記
上床部の下面側及び下床部の上面側に各々当接させることにより、円環の径方向に弾性変
形して圧縮可能とすると共に、前記保持部が、該固定具本体の円環の中心軸近傍に、軸方
向に沿って前記配管を挿通して保持する挿通孔によって構成されると共に、該外周面から
前記挿通孔まで径方向に沿って設けられて、拡開により前記配管を径方向に該挿通孔まで
導入可能とする切目部を有する請求項１記載の配管固定具を特徴としている。
【００１８】
更に、請求項３に記載されたものは、前記固定具本体が、正面視略Ｈ字型形状を呈して
、上，下側各一対の脚部間に前記保持部を形成すると共に、前記脚部の上，下端面を、前
記上床部の下面側及び下床部の上面側に各々当接させることにより、上，下方向に弾性変
形して圧縮可能とするＨ字型ブロックによって構成される請求項１記載の配管固定具を特
徴としている。
【００１９】
そして、請求項４に記載されたものは、前記固定具本体は、前記上床部の下面側または
、前記下床部の上面側に当接する部分を切削可能とする請求項１乃至３のうち、何れか一
項記載の配管固定具を特徴としている。
【００２０】
更に、請求項５に記載されたものは、上床部と下床部との間に形成される床下空間に、
前記固定具本体を介在させると共に、前記保持部に前記配管を該上床部及び下床部から浮
かせた状態で保持させて、上下方向から前記上床部及び下床部によって、該固定具本体を
圧接させることにより、屈曲可能な前記配管を敷設する請求項１乃至４のうち何れか一項
記載の配管固定具を用いた配管敷設構造を特徴としている。
【００２１】
また、請求項６に記載されたものは、前記保持部に前記配管を前記下床部から浮かせた
状態で保持しつつ、前記下床部の上面に、前記固定具本体を配置し、該固定具本体の上方
から覆うように、前記上床部を配設して床下空間を形成する際、上下方向から前記上床部
の下面側と前記下床部の上面側とによって挟持して、該固定具本体を圧接して固定する請
求項１乃至４のうち、何れか一項記載の配管固定具を用いた配管敷設方法を特徴としてい
る。  
【発明の効果】
【００２２】
このように構成された請求項１記載のものは、前記配管固定具の保持部に、前記配管を
保持させて、前記上床部と下床部との間に介在させることにより、上下方向から、前記固
定具本体が圧接されて、前記床下空間内で固定される。
【００２３】
このため、施工時に騒音を発生させる虞が無い。
【００２４】
また、前記保持部によって、前記配管が該上床部及び下床部から浮かせられた状態で保
持される。このため、従来のように、直接、上，下床部に固着される部分が無いので、使
用状態での排水流下音の伝播が抑制される。
【００２５】
また、請求項２記載のものでは、前記挿通孔に、前記配管を挿通させる際、前記切目部
を拡開して、前記配管を径方向に該挿通孔まで導入すれば、配管の途中であっても、前記
固定具本体を該配管に装着できる。
【００２６】
このため、更に施工作業性が良好である。
【００２７】
更に、請求項３記載のものは、前記固定具本体の一対の脚部間に設けられた保持部に
、前記配管を保持させて、前記上床部と下床部との間に介在させることにより、上下方向
から、前記固定具本体が圧接されて、前記床下空間内で固定される。
【００２８】
このため、施工時に騒音を発生させる虞が無い。
【００２９】
また、前記保持部によって、前記配管が該上床部及び下床部から浮かせられた状態で保
持される。このため、従来のように、直接、上，下床部に固着される部分が無いので、使
用状態での排水流下音の伝播が抑制される。
【００３０】
そして、請求項４に記載されたものは、前記固定具本体の前記上床部の下面側または、
前記下床部の上面側に当接する部分を切削することにより、前記保持部の高さ位置を変更
できる。
【００３１】
このため、例えば、前記下床部の上面側に不陸が存在しても、前記固定具本体を安定さ
せて、前記床下空間内に固定することができる。
【００３２】
更に、請求項５記載のものは、前記屈曲可能な配管が、前記配管固定具によって、前記
上床部と下床部との間に形成される床下空間に、前記保持部によって、前記配管が該上床
部及び下床部から浮かせられた状態で保持される。
【００３３】
このため、従来のように、直接、上，下床部に固着される部分が無いので、使用状態で
の排水流下音の伝播が抑制される。
【００３４】
従って、アパート、マンション等の集合住宅の配管敷設構造として用いて好適である。
【００３５】
そして、請求項６記載のものは、従来のように、固定に固定錨等を必要としないので、
部品点数の増大が抑制される。従って、部品管理が容易であると共に、施工時の騒音も発
生しないので、例えば、リフォーム等に用いて好適である。
【００３６】
また、保持部によって、前記配管が保持される上下方向の位置を変更することにより、
容易に、前記配管の高さ位置を調整できるので、勾配等を設けやすく、狭い作業スペース
のみ確保される床下空間においても施工作業性が良好である。
【発明を実施するための最良の形態】
【００３７】
次に、図面に基づいてこの発明を実施するための最良の実施の形態の配管固定具、該配
管固定具を用いた配管敷設構造及び配管敷設方法を説明する。
【００３８】
図１乃至図８は、この発明の実施の形態の建物の室２０内に設けられる二重床部２１が
、上床部を構成する床板材２と下床部を構成するコンクリートスラブ３と、この床板材２
を下方から支持する複数の束部材２２…によって主に構成されていて、前記床板材２とコ
ンクリートスラブ３との間に床下空間４が形成されている。
【００３９】
そして、各配管固定具２４等が用いられて、この床下空間４に屈曲可能なアルミ等の軽
金属層を有する三層樹脂管２３が、敷設されるものである。この三層樹脂管２３は、屈曲
状態で形状が保持されるように構成されている。
【実施例１】
【００４０】
図１乃至図３は、この実施の形態の実施例１の配管固定具、該配管固定具を用いた配管
敷設構造及び配管敷設方法を示すものである。この実施例１の配管固定具２４は、前記床
板材２とコンクリートスラブ３との間に介在されて上下方向から圧接される固定具本体２
４ａを有している。
【００４１】
この固定具本体２４ａは、発泡スチロール等の発泡樹脂材料で構成されていて、直径を
前記床下空間４の高さ距離よりもやや大きめに形成された円環状を呈している。
【００４２】
この固定具本体２４ａでは、外周面２４ｂのうち、この外周面２４ｂに沿って湾曲した
上面部２４ｃを前記床板材２の下面側２ａと当接させると共に、前記外周面２４ｂに沿っ
て湾曲した下面部２４ｄをコンクリートスラブ３の上面側３ａに各々当接させることによ
り、円環の径方向（図１，２中白抜き矢印Ｈ方向）に弾性変形して圧縮可能となるように
構成されている。
【００４３】
この固定具本体２４ａには、前記保持部としての挿通孔２５が、この固定具本体２４ａ
の円環の中心軸Ｌ近傍に、軸方向に沿って開口形成されている。
【００４４】
この挿通孔２５には、前記三層樹脂管２３が挿通されて、この三層樹脂管２３を前記床
板材２及びコンクリートスラブ３から離間させて浮かせた状態で保持するように構成され
ている。
【００４５】
また、この固定具本体２４ａには、前記外周面２４ｂから前記挿通孔２５まで径方向に
沿って切目部２６が設けられている。
【００４６】
この切目部２６は、図２中一点鎖線で示すように、この切目部２６の両端縁部２６ａ，
２６ａ間を拡開することにより、前記三層樹脂管２３を径方向に、前記挿通孔２５まで導
入可能とするように構成されている。
【００４７】
次に、この実施の形態の実施例１の配管固定具２４、この配管固定具２４を用いた配管
敷設構造及び配管敷設方法の作用について説明する。
【００４８】
まず、この実施例１の配管固定具２４…を用いた配管敷設の施工を施工順序に沿って説
明する。
【００４９】
この実施例１では、まず、床下空間４内に敷設される三層樹脂管２３の周囲に、前記配
管固定具２４…を所定の間隔をおいて装着する。
【００５０】
この際、前記挿通孔２５に、前記三層樹脂管２３を挿通させる際、図２中一点鎖線に示
すように、前記切目部２６を前記両端縁部２６ａ，２６ａ間を拡開するように変形させて
、前記三層樹脂管２３を径方向に挿入して、前記挿通孔２５位置まで導入すれば、三層樹
脂管２３の長手方向途中であっても、前記固定具本体２４ａが、三層樹脂管２３に装着さ
れる。
【００５１】
このため、三層樹脂管２３の先端から、前記配管固定具２４を挿通して装着させる場合
に比して、施工作業性が良好である。
【００５２】
この状態で、前記コンクリートスラブ３の上面側３ａに、前記三層樹脂管２３を前記配
管固定具２４，２４と共に配置すると、前記挿通孔２５が、この固定具本体２４ａの円環
の中心軸Ｌ近傍に形成されているので、前記三層樹脂管２３が前記上面側３ａから浮かせ
られた状態で保持される。
【００５３】
次に、この固定具本体２４の上方から覆うように、前記床板材２を配設して床下空間４
を形成する。
【００５４】
この際、前記配管固定具２４，２４は、上下方向から前記床板材２の下面側２ａとコン
クリートスラブ３の上面側３ａとの間に介在されて、これらの下面側２ａと上面側３ａと
によって挟持される。
【００５５】
この際、固定具本体２４ａは、その直径を前記床下空間４の高さ距離よりもやや大きめ
に形成されているので、この固定具本体２４ａは、図１，２中白抜き矢印Ｈ方向に圧接さ
れて、弾性変形されながら固定される。
【００５６】
この実施例１では、前記固定具本体２４ａの上面部２４ｃ及び下面部２４ｄは、前記外
周面２４ｂに沿って湾曲していて、他の中心部付近の断面積よりも小さい断面積の部分が
、前記床板材２の下面側２ａ及び前記コンクリートスラブ３の上面側３ａに当接されてい
るので、弾性変形しやすく、容易に潰れるので、上下方向の床下空間４の寸法誤差を吸収
しやすい。
【００５７】
また、円環の径方向に弾性変形して圧縮されると、前記上面部２４ｃ及び下面部２４ｄ
は、前記床板材２の下面側２ａ及び前記コンクリートスラブ３の上面側３ａに沿って、略
平坦となり、安定して固定される。
【００５８】
このように、前記配管固定具２４の保持部２５に、前記三層樹脂管２３を保持させて、
前記床板材２の下面側２ａと前記コンクリートスラブ３の上面側３ａとの間に介在させる
ことにより、上下方向から、前記固定具本体２４ａが圧接されて、前記床下空間４内で固
定される。
【００５９】
このため、従来のように、施工時に騒音を発生させる虞が無い。
【００６０】
また、固定に固定錨等を必要としないので、部品点数の増大が抑制される。従って、部
品管理が容易であると共に、施工時の騒音も発生しないので、例えば、リフォーム等に用
いて好適である。
【００６１】
更に、前記挿通孔２５によって、前記三層樹脂管２３が、前記床板材２の下面側２ａ及
び前記コンクリートスラブ３の上面側３ａから浮かせられた状態で保持される。このため
、従来のように、直接、上，下床部に固着される部分が無いので、使用状態での排水流下
音の伝播が抑制される。
【００６２】
従って、アパート、マンション等の集合住宅の配管敷設構造として用いて好適である。
【００６３】
また、図３に示すように、前記三層樹脂管２３に対して、前記配管固定具２４を斜めに
装着することも出来る。すなわち、前記配管固定具２４の挿通孔２５内側面は、前記三層
樹脂管２３の形状に合わせて変形可能である。このため、前記三層樹脂管２３を例えば、
この配管固定具２４の挿通孔２５部分で屈曲させる必要が無く、直線的に設けられると共
に、他の配管２７，２７等の障害物をよけて、この配管固定具２４を配置し、前記三層樹
脂管２３を所望の管路で敷設できる。
【実施例２】
【００６４】
図４及び図５は、この発明の実施の形態の実施例２の配管固定具、該配管固定具を用い
た配管敷設構造及び配管敷設方法を示すものである。なお、前記実施例１と同一乃至均等
な部分については、同一符号を付して説明する。
【００６５】
この実施例２の配管固定具１２４は、固定具本体１２４ａの保持部としての挿通孔１２
５が、図４に示すように、円環の中心軸Ｌから、径方向に距離Ｄオフセットされて形成さ
れている。
【００６６】
このように構成された実施例２の配管固定具１２４は、前記挿通孔１２５に挿通された
前記三層樹脂管２３の周囲で、この配管固定具１２４を回転させることによって、図４中
、実線位置から一点鎖線位置及び二点鎖線位置に示すように、前記三層樹脂管２３が保持
される上下方向の位置を変更することが、容易にできる。
【００６７】
このため、図５に示すように、三層樹脂管２３に装着される箇所によって、前記配管固
定具１２４の回転方向の装着角度を変えて、前記三層樹脂管２３の高さ位置を調整できる
ので、勾配等を設けやすく、狭い作業スペースのみ確保される床下空間４においても施工
作業性が良好である。
【００６８】
他の構成、及び作用効果については、前記実施例１と略同一であるので説明を省略する
。
【実施例３】
【００６９】
図６乃至図８は、この発明の実施の形態の実施例３の配管固定具、該配管固定具を用い
た配管敷設構造及び配管敷設方法を示すものである。なお、前記実施例１，２と同一乃至
均等な部分については、同一符号を付して説明する。
【００７０】
この実施例３の配管固定具２２４は、固定具本体２２４ａが、正面視略Ｈ字型形状を呈
する発泡スチロール等の発泡樹脂材料で構成されたＨ字型ブロックによって構成されてい
る。
【００７１】
この固定具本体２２４ａには、上，下側各一対の長脚部２２４ｂ，２２４ｂ及び、これ
らの長脚部２２４ｂよりも短く突設形成される短脚部２２４ｃ，２２４ｃが、一体に形成
されている。
【００７２】
また、前記各長脚部２２４ｂ，２２４ｂ及び、短脚部２２４ｃ，２２４ｃ間に、前記配
管としての三層樹脂管２３を挿通して、保持する保持部としてのＵ字状嵌着溝部２２４ｄ
及び２２４ｅが各々形成されている。
【００７３】
そして、前記長脚部２２４ｂ，２２４ｂの上端面２２４ｆ，２２４ｆ及び、短脚部２２
４ｃ，２２４ｃの下端面２２４ｇ，２２４ｇが、前記床板材２の下面側２ａ及び前記コン
クリートスラブ３の上面側３ａに各々当接されることにより、上，下方向に、各長，短脚
部２２４ｂ，２２４ｃが弾性変形して圧縮可能となるように構成されている。
【００７４】
次に、この実施例３の作用について説明する。
【００７５】
この実施例３では、図７に示すように、前記固定具本体２２４ａの一対の長脚部２２４
ｂ，２２４ｂ間に設けられたＵ字状嵌着溝部２２４ｄに、前記三層樹脂管２３を挿通して
保持させて、前記床板材２の下面側２ａ及び前記コンクリートスラブ３の上面側３ａとの
間に介在させることにより、上下方向から、前記固定具本体２２４ａ，２２４ａが圧接さ
れて、前記床下空間４内で固定される。
【００７６】
このため、施工時に騒音を発生させる虞が無い。
【００７７】
また、前記固定具本体２２４ａの前記床板材２の下面側２ａまたは、前記コンクリート
スラブ３の上面側３ａに当接する前記長脚部２２４ｂ，２２４ｂの上端面２２４ｆ，２２
４ｆ及び、短脚部２２４ｃ，２２４ｃの下端面２２４ｇ，２２４ｇ部分を切削することに
より、前記Ｕ字状嵌着溝部２２４ｄ，２２４ｅによって保持される三層樹脂管２３の高さ
位置を変更できる。
【００７８】
このため、例えば、前記コンクリートスラブ３の上面側３ａに不陸が存在しても、前記
固定具本体２２４ａを安定させて、前記床下空間４内に固定することができる。
【００７９】
他の構成、及び作用効果については、前記実施例１，２と略同一であるので説明を省略
する。
【実施例４】
【００８０】
図８に示すこの発明の実施の形態の実施例４のものでは、前記実施例３の配管固定具２
２４…を用いた勾配を有する配管敷設構造を説明するものである。なお、前記実施例１乃
至３と同一乃至均等な部分については、同一符号を付して説明する。
【００８１】
この実施例４の配管固定具２２４…を用いた配管敷設構造では、図８中、右側に位置す
る固定具本体２２４ａでは、上，下方向が逆となるように設置されると共に、上方に位置
する前記Ｕ字状嵌着溝部２２４ｅに、前記三層樹脂管２３が挿通されて保持されている。
【００８２】
また、図８中、左側に位置する固定具本体２２４ａでは、上，下方向が逆となるように
設置されると共に、下方に位置する前記Ｕ字状嵌着溝部２２４ｄに、前記三層樹脂管２３
が挿通されて保持されている。
【００８３】
次に、この実施例４の作用について説明する。
【００８４】
この実施例４の配管固定具２２４…を用いた配管敷設構造では、図８に示すように、前
記固定具本体２２４ａの各Ｕ字状嵌着溝部２２４ｄ，２２４ｅに挿通されて保持される前
記三層樹脂管２３の上下方向の位置が、適宜異ならせることができるので、容易に、前記
三層樹脂管２３に所望の勾配を与えて敷設することができる。
【００８５】
他の構成、及び作用効果については、前記実施例１乃至３と略同一であるので説明を省
略する。
【００８６】
以上、図面を参照して、本発明の実施の形態を詳述してきたが、具体的な構成は、この
実施の形態に限らず、本発明の要旨を逸脱しない程度の設計的変更は、本発明に含まれる
。
【００８７】
例えば、前記実施の形態では、前記固定具本体２４ａを、発泡スチロール等の発泡樹脂
材料で構成しているが、特にこれに限らず、発泡ウレタン等、他の発泡樹脂材料、ゴム系
の材料等、弾性変形可能な材質のものであれば、特に材料が限定されるものではなく、そ
の弾性変形可能な材料で、全体が構成される必要もなく、一部若しくは当接される部分等
に設けられていても良い。
【００８８】
また、形状についても、前記実施例１，２のように円環状のものや、実施例３，４のよ
うにＨ字型ブロック状のものに限定されるものではなく、前記保持部によって、前記三層
樹脂管２３等の配管が、上床部及び下床部から浮かせられた状態で保持されるものである
ならば、どのような形状、数量、及び材質で構成されていてもよい。
【００８９】
また、配管も、三層樹脂管２３を用いて説明してきたが、特にこれに限らず、鞘管等、
他の樹脂管や、金属管、ゴム管等であっても、屈曲可能なものであればどのようなもので
あってもよい。
【図面の簡単な説明】
【００９０】
【図１】この発明の実施の形態の実施例１の配管固定具、該配管固定具を用いた配管敷設構造及び配管敷設方法を示し、床部の一部断面図である。
【図２】実施例１の配管固定具の斜視図である。
【図３】実施例１の配管固定具を用いた配管敷設構造を示し、床部を一部切り欠いた斜視図である。
【図４】この発明の実施の形態の実施例２の配管固定具の斜視図である。
【図５】実施例２の配管固定具を用いた配管敷設構造で、床部の断面図である。
【図６】この発明の実施の形態の実施例３の配管固定具の斜視図である。
【図７】この発明の実施の形態の実施例３の配管固定具を用いた配管敷設構造で、床部の断面図である。
【図８】実施例４の配管固定具を用いた配管敷設構造で、床部の断面図である。
【図９】一従来例の配管固定具を用いた配管敷設構造で、床部を一部切り欠いた建物内のキッチン部分の斜視図である。
【図１０】他の従来例の配管固定具を用いた配管敷設構造で、床部の断面図である。
【符号の説明】
【００９１】
２                    床板材（上床部）
３                    コンクリートスラブ（下床部）
４                    床下空間
２３                  三層樹脂管（配管）
２４，１２４，２２４  配管固定具
２４ａ，１２４ａ，２２４ａ  固定具本体
保持部  
２５，１２５        挿通孔
２２４ｄ，２２４ｅ  Ｕ字状嵌着溝
【図１】
2005113583.tif 000003
【図２】
2005113583.tif 000004
【図３】
2005113583.tif 000005
【図４】
2005113583.tif 000006
【図５】
2005113583.tif 000007
【図６】
2005113583.tif 000008
【図７】
2005113583.tif 000009
【図８】
2005113583.tif 000010
【図９】
2005113583.tif 000011
【図１０】
2005113583.tif 000012